(57)【要約】【課題】燃料タンクから取り外した給油栓を一時的に仮置きしたり、種々のメンテナンス作業において、機体から取り外した螺子類等の小物部品を圃場に落下させることなく安定した姿勢で仮置きできる簡単な部品収容部を備えた歩行型管理機を提供する。【解決手段】エンジン４の動力を伝動ケース３内の伝動機構に伝達するベルト伝動装置８を機体の左右一側に設けると共に、このベルト伝動装置８を覆うカバー体９を備えた歩行型管理機において、前記ベルト伝動装置８を覆うカバー体９の上部に凹陥状の部品収容部２８を形成した。【選択図】図３
2008228666.tif 000002
【特許請求の範囲】
【請求項１】
エンジン（４）の動力を伝動ケース（３）内の伝動機構に伝達する伝動装置（８）を機体の左右一側に設けると共に、この伝動装置（８）を覆うカバー体（９）を備えた歩行型管理機において、前記カバー体（９）の上部に部品収容部（２８）を設けたことを特徴とする歩行型管理機。
【請求項２】
前記伝動装置（８）がベルト伝動装置であって、伝動ケース（３）に動力が入力される入力プーリ（６）上方のカバー体（９）の部位に凹陥状の部品収容部（２８）を形成した請求項１に記載の歩行型管理機。
【発明の詳細な説明】
【技術分野】
【０００１】
本発明は、耕耘作業や除草作業を行うことができる歩行型管理機に関する。
【背景技術】
【０００２】
従来、機体から後方に延設される操縦ハンドルと、耕耘爪を取り付けた耕耘軸を伝動ケースを介して回転駆動させるエンジンと、前記伝動ケースの後部に設けたヒッチに取り付けられて土中に差し込まれた状態で機体に推進抵抗を与える抵抗棒とを備えて、前記耕耘爪の回転により耕耘しながらの走行が可能な所謂車軸ロータリ式の歩行型管理機では、操縦ハンドルの上下操作によって耕耘爪の前進力を制御しながら、当該耕耘爪を耕土中に沈下させての耕耘作業や、更に前記ヒッチに培土器を装着して畝立て作業等を行えるようにしたものが知られている（例えば、特許文献１参照）。
【特許文献１】特開２００１−２９９００３号公報（第２−３頁、第１図）
【発明の開示】
【発明が解決しようとする課題】
【０００３】
ところで、上述した特許文献１のような歩行型管理機では、燃料タンク内への燃料の補給を圃場内で行うことがあり、その際、燃料タンクから取り外した給油栓を一時的に仮置きする場所がなく、また種々のメンテナンス作業において機体から取り外した螺子類等の小物部品についても、圃場に落下させることなく安定した姿勢で仮置きできないので不便であった。
【課題を解決するための手段】
【０００４】
本発明は、上記課題を解決することを目的として創案したものであって、エンジンの動力を伝動ケース内の伝動機構に伝達する伝動装置を機体の左右一側に設けると共に、この伝動装置を覆うカバー体を備えた歩行型管理機において、前記カバー体の上部に部品収容部を設けたことを第１の特徴としている。
そして、前記伝動装置がベルト伝動装置であって、伝動ケースに動力が入力される入力プーリ上方のカバー体の部位に凹陥状の部品収容部を形成したことを第２の特徴としている。
【発明の効果】
【０００５】
請求項１の発明によれば、伝動装置を覆うカバー体の上部に部品収容部を設けたことによって、例えば作業者が燃料タンク内へ燃料を補給する際、取り外した給油栓を視認容易な前記部品収容部へ一時的に仮置きすることができると共に、種々のメンテナンス作業において機体から取り外した螺子類等の小物部品についても、圃場に落下させることなく安定した姿勢で当該部品収容部に仮置きできるようになり便利である。
そして、請求項２の発明によれば、前記伝動装置がベルト伝動装置であって、伝動ケースに動力が入力される入力プーリ上方のカバー体の部位に凹陥状の部品収容部を形成したことによって、前記入力プーリ上方の空間を有効利用してカバー体の剛性を低下させることなく当該部品収容部を形成できる。
【発明を実施するための最良の形態】
【０００６】
本発明の実施の形態を図面に基づいて説明する。図１及び図２は、本発明の第一実施例が適用される歩行型管理機１の斜視図と左側面図であって、この歩行型管理機１は、機体フレーム２にチェン伝動機構（不図示）を内装した伝動ケース３を上下方向に傾斜させて配設すると共に、該伝動ケース３の上部に動力源であるエンジン４を搭載している。
【０００７】
そして、機体の左右一側、即ち伝動ケース３の上部及びエンジン４の左側面には、図５及び図６に示すように、該エンジン４の動力を伝達する出力プーリ５と、伝動ケース３の入力プーリ６とを離間させて配設すると共に、両プーリ５，６と、両プーリ５，６に巻回した伝動ベルト７を含むベルト伝動装置８を覆うカバー体９を設けている。また、エンジン４の上部には、図示しないステーを介して燃料タンク１１を装着すると共に、この燃料タンク１１の周囲を覆うプラスチック製のエンジンカバー（ボンネット）１２を設けている。
【０００８】
そして、伝動ケース３の下部には、エンジン４から出力される動力によって回転駆動する耕耘軸１３が左右に突出しており、この耕耘軸１３の周囲に複数本の耕耘爪１４（ロータリ爪）を螺設すると共に、当該耕耘軸１３の左右両端には、円盤状の側板１５を夫々取付けてある。
【０００９】
更に、伝動ケース３の上下中途部から後方に向けてヒッチ１６を延設する共に、このヒッチ１６には、下方に向けて突出する抵抗棒１７を取り付けている。また、エンジン４の下方には、回転する耕耘爪１４による泥土の跳ね上がりを防止すべく、当該耕耘爪１４の上方を覆う略平板状のフェンダ１８を設けている。
【００１０】
一方、伝動ケース３の後部から斜め後方に向けてハンドルフレーム１９を突設すると共に、このハンドルフレーム１９から機体後方に向けて左右の操縦ハンドル２１Ｌ，２１Ｒを延設している。そして、左側の操縦ハンドル２１Ｌには、主クラッチレバー２２を設けると共に、右側の操縦ハンドル２１Ｒには、スロットルレバー２３を配設してある。
【００１１】
即ち、本発明の歩行型管理機１は、走行車輪を備えておらず、耕耘爪１４の回転により耕耘しながらの走行が可能な所謂車軸ロータリ式の小型管理機であって、作業者は、左右の操縦ハンドル２１Ｌ，２１Ｒを把持しながら、両ハンドル２１Ｌ，２１Ｒを下方に強く押しつけることによって、ヒッチ１６に取り付けた抵抗棒１７を土中に挿入し、この抵抗棒１７にある程度の抵抗を与えることで耕起作業時における機体姿勢の安定を図っている。
【００１２】
また、左右の操縦ハンドル２１Ｌ，２１Ｒは、締め込み式のノブ付ボルト２４を介して上下調節自在にハンドルフレーム１９に取り付けてあり、歩行型管理機１を運転する作業者の体格や作業内容によって、適宜上下調節が行えるようになっている。
【００１３】
そして、上述した抵抗棒１７の土中への挿入深さの調節は、該抵抗棒１７の基部に穿孔した複数の深さ調節穴（不図示）の中から所望の調節穴を選択し、該調節穴とヒッチ１６のボス２５に設けた装着穴（不図示）にクレビスピン２６を挿通することによって簡単に行えるようになっている。尚、機体フレーム２の前部には、歩行型管理機１の運搬やトラック等への積載作業時の運搬用把手を兼ねるバンパー２７を設けている。
【００１４】
ところで、上述したように構成される歩行型管理機１では、燃料タンク１１内への燃料の補給を圃場内で行うことがあり、その際、燃料タンク１１から取り外した給油栓１１ａを一時的に仮置きする場所がなく、また種々のメンテナンス作業において機体から取り外した螺子類等の小物部品についても、圃場に落下させることなく安定した姿勢で仮置きできないので不便であった。
【００１５】
そこで、本発明の第一実施例では、図１及び図２に示すように、機体の左右一側に設けたベルト伝動装置８を覆うカバー体９の後側上部に凹陥状の部品収容部２８を設けている。この部品収容部２８は、箱状の受皿２９をカバー体９の上部に螺設して構成したものであって、例えば作業者が燃料タンク１１内へ燃料を補給する際、取り外した給油栓１１ａを運転姿勢において視認容易な前記部品収容部２８へ一時的に仮置きすることができると共に、種々のメンテナンス作業において機体から取り外した螺子類等の小物部品についても、圃場に落下させることなく安定した姿勢で当該部品収容部２８に仮置きできるようになり便利である。
【００１６】
また、図３から図６に示す本発明の第二実施例は、伝動ケース３に動力が入力される入力プーリ６上方にあるカバー体９の部位に凹陥状の部品収容部２８を形成したものであって、このものでは、前記入力プーリ６上方の空間Ｓを有効利用してカバー体９の剛性を低下させることなく当該部品収容部２８を形成できる利点がある。
【図面の簡単な説明】
【００１７】
【図１】部品収容部の第一実施例を示す歩行型管理機の斜視図。
【図２】部品収容部の第一実施例を示す歩行型管理機の左側面図。
【図３】部品収容部の第二実施例を示す歩行型管理機の斜視図。
【図４】部品収容部の第二実施例を示す歩行型管理機の左側面図。
【図５】第二実施例における部品収容部の要部側断面図。
【図６】第二実施例における部品収容部の要部平面図。
【符号の説明】
【００１８】
３    伝動ケース
４    エンジン
６    入力プーリ
８    （ベルト）伝動装置
９    カバー体
２８  部品収容部
【図１】
2008228666.tif 000003
【図２】
2008228666.tif 000004
【図３】
2008228666.tif 000005
【図４】
2008228666.tif 000006
【図５】
2008228666.tif 000007
【図６】
2008228666.tif 000008